(57)【要約】【課題】文字の組合せのバリエーションを増やすことが可能なジグソーパズルを提供することにある。【解決手段】組み立ておよび分解が可能なジグソーパズルであって、実質的に同じ形状を有するとともに、同じ文字が表示された２つのパズルピースから構成されるピースセット１２を含み、ピースセット１２のパズルピースそれぞれは、互いに接続可能な係合部を有し、当該係合部がない場合の平面視の輪郭が四辺形である。２つのパズルピースから構成されるピースセット１２に表示された文字はそれぞれ１文字から構成されている。【選択図】図１
2019041878.tif 000002
【特許請求の範囲】
【請求項１】
組み立ておよび分解が可能なジグソーパズルであって、
実質的に同じ形状を有するとともに、同じ文字が表示された２以上のパズルピースを含み、
前記２以上のパズルピースそれぞれは、互いに接続可能な係合部を有し、当該係合部がない場合の平面視の輪郭が四辺形であることを特徴とするジグソーパズル。
【請求項２】
前記２以上のパズルピースそれぞれに表示された文字は、それぞれ実質的に１文字から構成されることを特徴とする請求項１に記載のジグソーパズル。
【請求項３】
前記２以上のパズルピースそれぞれは、任意の順番で接続可能に構成されることを特徴とする請求項１または２に記載のジグソーパズル。
【請求項４】
前記２以上のパズルピースそれぞれは、前記表示された文字の上下方向および左右方向に接続可能に構成されることを特徴とする請求項１から３のいずれかに記載のジグソーパズル。
【請求項５】
組み立ておよび分解が可能なジグソーパズルであって、
実質的に同じ形状を有する複数のパズルピースを含み、
前記複数のパズルピースそれぞれは、互いに接続可能な係合部を有し、当該係合部がない場合の平面視の輪郭において角が丸められた形状を有し、
組み立てられた状態において、前記複数のパズルピースそれぞれの間に隙間が形成されることを特徴とするジグソーパズル。
【請求項６】
平面視の輪郭において、前記隙間は２回または４回の回転対称形状を有することを特徴とする請求項５に記載のジグソーパズル。
【請求項７】
前記複数のパズルピースそれぞれは、前記平面視の輪郭が長丸形状、楕円形状または円形状を有することを特徴とする請求項５または６に記載のジグソーパズル。
【請求項８】
前記複数のパズルピースは、同じ文字が表示された２以上のパズルピースを含むことを特徴とする請求項５から７のいずれかに記載のジグソーパズル。
【発明の詳細な説明】
【技術分野】
【０００１】
本発明は、組み立て・分解が可能なジグソーパズルに関する。
【背景技術】
【０００２】
一枚の絵を幾つかの小片に分解して、分解した小片を再び組み立てるジグソーパズルが知られている。例えば、特許文献１には複数のピースがボードの所定の位置に配置される英語学習ジグソーパズルが記載されている。特許文献１に記載のジグソーパズルは、英単語又はチャンクが表記された英文字ピースと、ピースが配置されるボードであってキーワードが表記されたボードなどで構成されている。
【先行技術文献】
【特許文献】
【０００３】
【特許文献１】特開２０１３−３９２９５号公報
【発明の概要】
【発明が解決しようとする課題】
【０００４】
本発明者らは、文字や単語を学習するためのジグソーパズルについて検討して以下のような認識を得た。ピースを組み合わせて学習することができるジグソーパズルが考えられる。特許文献１に記載のジグソーパズルは、１つのピースに１つの単語又はチャンクが記載されており、嵌合部の位置がそれぞれ異なることによりピースの並び順が固定されている。このため、このジグソーパズルは、任意の並び順で文字を表示したピースを組み合わせて単語自身を学習することには不向きである。
【０００５】
そこで、本発明者らは、２６文字のアルファベットを１文字ずつ表示したピースを含むジグソーパズルを案出した。このジグソーパズルによると、文字を表示したピースを任意の並び順で組み合わせて単語を学習することができる。しかし、このジグソーパズルでは、例えば「ａｐｐｌｅ」などの同じ文字を複数含む単語を組み立てることができず、文字の組合せのバリエーションが限定される課題があることを認識した。
このような課題は、アルファベットを表示したジグソーパズルに限られず、ひらがな、カタカナ、漢字など、アルファベット以外の文字を表示するジグソーパズルについても生じうる。
【０００６】
本発明は、こうした状況に鑑みてなされたものであり、その目的は、文字の組合せのバリエーションを増やすことが可能なジグソーパズルを提供することにある。
【課題を解決するための手段】
【０００７】
上記課題を解決するために、本発明のある態様のジグソーパズルは、組み立ておよび分解が可能なジグソーパズルであって、実質的に同じ形状を有し、同じ文字が表示された２以上のパズルピースを含んでいる。２以上のパズルピースそれぞれは、互いに接続可能な係合部を有し、当該係合部がない場合の平面視の輪郭が四辺形である。
【０００８】
この態様によると、ジグソーパズルは同じ文字が表示された２以上のパズルピースを含むことができる。
【０００９】
本発明の別の態様もまた、ジグソーパズルである。このジグソーパズルは、組み立ておよび分解が可能なジグソーパズルであって、実質的に同じ形状を有する複数のパズルピースを含む。複数のパズルピースそれぞれは、互いに接続可能な係合部を有し、当該係合部がない場合の平面視の輪郭において角が丸められた形状を有し、組み立てられた状態において、複数のパズルピースそれぞれの間に隙間が形成される。
【００１０】
なお、以上の構成要素の任意の組み合わせや本発明の構成要素や表現を、方法、装置、システムなどの間で相互に置換したものもまた、本発明の態様として有効である。
【発明の効果】
【００１１】
本発明によれば、文字の組合せのバリエーションを増やすことが可能なジグソーパズルを提供することができる。
【図面の簡単な説明】
【００１２】
【図１】第１実施の形態に係るジグソーパズルの構成の一例を示す平面図である。
【図２】図１のジグソーパズルのピースセットの一例を示す平面図である。
【図３】図１のジグソーパズルのピースセットを左右方向に連結した状態の一例を示す平面図である。
【図４】図１のジグソーパズルのピースセットを上下方向に連結した状態の一例を示す平面図である。
【図５】第２実施形態に係るジグソーパズルの平面図である。
【図６】図５のジグソーパズルのパズルピースの一例を示す平面図である。
【図７】図５のジグソーパズルの一部を拡大した拡大平面図である。
【図８】図５のジグソーパズルのパズルピースの構成の一例を示す平面図である。
【図９】図５のジグソーパズルのピースセットを左右方向に連結した状態の一例を示す平面図である。
【図１０】図５のジグソーパズルのピースセットを上下方向に連結した状態の一例を示す平面図である。
【００１３】
以下、本発明を好適な幾つかの実施形態をもとに各図面を参照しながら説明する。各実施形態、比較例および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１４】
［第１実施形態］
図面を参照して第１実施形態に係るジグソーパズル１００について説明する。図１は、第１実施形態に係るジグソーパズル１００の構成の一例を示す平面図である。以下、ＸＹＺ直交座標系をもとに説明する。Ｘ軸方向は平面上において左右方向に対応し、Ｙ軸方向は平面上において上下方向に対応し、Ｚ軸方向は厚み方向に対応する。Ｙ軸方向、Ｚ軸方向はそれぞれＸ軸方向に直交する。このような方向の表記はジグソーパズル１００の使用姿勢を制限するものではなく、ジグソーパズル１００は任意の姿勢で使用されうる。
【００１５】
ジグソーパズル１００は、組み立ておよび分解が可能なジグソーパズルである。ジグソーパズル１００は、複数のパズルピース１０を備える。複数のパズルピース１０は、例えば厚紙から形成される底板（不図示）によって下側から支持されてもよい。複数のパズルピース１０は、底板に設けられた枠部（不図示）によって周辺から支持されてもよい。
【００１６】
組み立てられた状態においてジグソーパズル１００の表側に図柄または模様（不図示）が現れるように、複数のパズルピース１０には模様（不図示）が設けられてもよい。この図柄または模様は、絵画、写真、図形、記号およびキャラクターなどであってもよく、例えば印刷により形成されてもよい。
【００１７】
複数のパズルピース１０は、実質的に同じ形状を有し、同じ文字が表示された２以上のパズルピースのセット（以下、ピースセットという）を含んでいる。図１の例では、複数のパズルピース１０は、それぞれ同じ文字が表示された２つのパズルピースからなるピースセット１２ａ〜１２ｚを含んでいる。ピースセット１２ａ〜１２ｚを総括するときは、ピースセット１２という。ピースセット１２の各ピースには文字が例えば印刷により表示されている。各ピースの文字は、無地の表面上に表示されてもよく、上述した模様の上に表示されてもよい。
【００１８】
図１の例では、ピースセット１２の各ピースに表示された文字はそれぞれ実質的に１文字からなる。以下、各ピースに表示された文字の上下方向を単に文字の上下方向と、各ピースに表示された文字の左右方向を単に文字の左右方向ということがある。なお、この明細書において「実質的に１文字」とは、実質的に１文字が表示されていると認識されるものを含む。実質的に１文字が表示されていると認識されるケースには、例えば”Ａ”と”ａ”など同じ文字の大文字と小文字が表示されているケース、同じ文字が重ねて表示されているケース、大きさの異なる同じ文字が表示されているケース、その文字の発音に対応する表示が一緒に表示されているケース、その文字に関連する情報が一緒に表示されているケース、例えば”Ａ”と”１”などその文字とは別の分類の文字や記号が一緒に表示されているケースが含まれる。
【００１９】
ピースセット１２を構成する２以上のパズルピースそれぞれは実質的に同じ形状を有する。なお、本明細書において「実質的に同じ形状」というときは、目視において同じ形状と認識できる程度の同一性を有する形状をいい、製造誤差や計測の誤差による相違は考慮しないものとする。
【００２０】
ピースセット１２それぞれに含まれる２つのピースを区別するために一方に（１）の符号を付加し、他方に（２）の符号を付加して表記する。図２は、ピースセット１２の一例を示す平面図である。ピースセット１２は２つのパズルピースであるピース１２（１）、１２（２）を含んでいる。ピース１２（１）、１２（２）それぞれは、互いに接続可能な係合部２０を有している。ピース１２（１）、１２（２）それぞれは、係合部２０がない場合の平面視の輪郭（以下、基本形状という）が四辺形である。ピース１２（１）、１２（２）それぞれは、係合部２０が設けられる４つの側縁１４ａ、１４ｂ、１４ｃ、１４ｄを有する。図２の例では、ピース１２（１）、１２（２）それぞれ基本形状は四角形であり、側縁１４ａ、１４ｂ、１４ｃ、１４ｄは、この四角形の各辺に対応している。
【００２１】
側縁１４ａ、１４ｃはＸ軸方向に離れて配置されＹ軸方向に伸びる側縁である。側縁１４ｂ、１４ｄはＹ軸方向に離れて配置されＸ軸方向に伸びる側縁である。側縁１４ａ、１４ｂは交わって頂点１４ｆを形成する。側縁１４ｂ、１４ｃは交わって頂点１４ｅを形成する。側縁１４ｃ、１４ｄは交わって頂点１４ｈを形成する。側縁１４ｄ、１４ａは交わって頂点１４ｇを形成する。頂点１４ｅ、１４ｆ、１４ｇ、１４ｈの内角は９０°に設定されている。
【００２２】
係合部２０は側縁１４ａ、１４ｂ、１４ｃ、１４ｄそれぞれに設けられている。側縁１４ｂ、１４ｃには凸型係合部２０ｂ、２０ｃが設けられ、側縁１４ａ、１４ｄには凹型係合部２０ａ、２０ｄが設けられている。係合部２０は側縁１４ａ〜１４ｃの延在方向の略中央に位置している。凸型係合部２０ｂ、２０ｃは、平面視で、側縁１４ｂ、１４ｃから外方に突出しており、先側が略楕円形状を有し、根元部はくびれた形状を有している。凹型係合部２０ａ、２０ｄは、平面視で、側縁１４ａ、１４ｄから内方に窪んだ形状を有している。凹型係合部２０ａ、２０ｄは、凸型係合部２０ｂ、２０ｃと嵌合可能な湾曲形状を有している。凹型係合部２０ａ、２０ｄの内形寸法と凸型係合部２０ｂ、２０ｃの外径寸法が同一に設定されている。側縁１４ｂの凸型係合部２０ｂと、側縁１４ｄの凹型係合部２０ｄと、はＸ軸方向において実質的に同じ位置に設けられる。側縁１４ｃの凸型係合部２０ｃと、側縁１４ａの凹型係合部２０ａと、はＹ軸方向において実質的に同じ位置に設けられる。なお、本明細書において「実質的に同じ位置」というときは、目視において同じ位置と認識できる程度の同一性を有する形状をいい、製造誤差や計測の誤差による相違は考慮しないものとする。
【００２３】
ピースセット１２の各ピースは、上述の形状を有することにより、文字の左右方向（Ｘ軸方向）に任意の順番で接続することができる。図３は、ピースセット１２を左右方向に連結した状態の一例を示す平面図である。この図では、左から順にピース１２ａ（１）、１２ｐ（１）、１２ｐ（２）、１２ｌ（１）および１２ｅ（１）を並べて連結することにより、左右に並んだ単語「ＡＰＰＬＥ」を表現している。
【００２４】
ピースセット１２のピースは、上述の形状を有することにより、文字の上下方向（Ｙ軸方向）に任意の順番で接続することができる。図４は、ピースセット１２を上下方向に連結した状態の一例を示す平面図である。この図では、上から順にピース１２ａ（１）、１２ｐ（１）、１２ｐ（２）、１２ｌ（１）および１２ｅ（１）を並べて連結することにより、上下に並んだ単語「ＡＰＰＬＥ」を表現している。
【００２５】
このように、ジグソーパズル１００は、ピースセット１２のピースを連結して任意の英単語を表現することができる。ピースセット１２は、例えば、「ＣＯＦＦＥＥ」のように同じ２文字を２組含む単語を表現することができる。ピースセット１２は、１文字について複数のピースを含むため、１文字について１個のピースのみを含む場合と比較して文字の組合せのバリエーションを増やすことができる。同じ３文字を含む単語は少ないので、同じ２文字を含むことで多くの単語を表現することが可能である。
【００２６】
次に、このように構成された本発明の第１実施形態に係るジグソーパズル１００の作用・効果を説明する。
【００２７】
第１実施形態に係るジグソーパズル１００は、組み立ておよび分解が可能なジグソーパズルであって、実質的に同じ形状を有し、同じ文字が表示された２つのパズルピースから構成されるピースセット１２を含み、ピースセット１２のパズルピースそれぞれは、互いに接続可能な係合部２０を有し、当該係合部２０がない場合の平面視の輪郭が四辺形である。この構成によれば、同じ文字が表示された２つのパズルピースから構成されるピースセット１２を含むから、同じ文字を２つ含む単語を表現することができる。つまり、ジグソーパズル１００は、１文字当り１つのパズルピースを含むジグソーパズルに比べて、表示可能な文字列のバリエーションを増やすことができる。
【００２８】
第１実施形態に係るジグソーパズル１００では、２つのパズルピースから構成されるピースセット１２に表示された文字はそれぞれ１文字から構成されている。この構成によれば、複数の文字が表示されるパズルピースと比較して、種類の少ないピースでより多様な文字列を表現することができる。
【００２９】
第１実施形態に係るジグソーパズル１００では、２以上のパズルピースから構成されるピースセット１２は、任意の順番で接続可能に構成されている。この構成によれば、例えば子供など単語を学習する者の任意の発想に対応する文字列を表現することができる。
【００３０】
第１実施形態に係るジグソーパズル１００では、２以上のパズルピースから構成されるピースセット１２は、表示された文字の上下方向および左右方向に接続可能に構成されている。この構成によれば、左右方向に配列される文字列および上下に配列される文字列を表現することができる。
【００３１】
［第２実施形態］
図面を参照して第２実施形態に係るジグソーパズル２００について説明する。図５は、第２実施形態に係るジグソーパズル２００の平面図である。
【００３２】
ジグソーパズル２００は、組み立ておよび分解が可能なジグソーパズルである。ジグソーパズル２００は、パズルピース２０８を備える。パズルピース２０８は、実質的に同じ形状を有する複数のパズルピース２１０を含む。パズルピース２０８は、例えば底板（不図示）によって下側から支持されてもよい。パズルピース２０８は、底板に設けられた枠部（不図示）によって周辺から支持されてもよい。
【００３３】
組み立てられた状態においてジグソーパズル２００の表側に図柄または模様（不図示）が現れるように、パズルピース２０８には模様（不図示）が設けられてもよい。この図柄または模様は、絵画、写真、図形、記号およびキャラクターなどであってもよく、例えば印刷により形成されてもよい。
【００３４】
図６は、パズルピース２１０の一例を示す平面図である。パズルピース２１０は、互いに接続可能な係合部２２０を有している。パズルピース２１０は、係合部２２０がない場合の平面視の輪郭（以下、基本形状という）において角部が丸みを帯びた形状または湾曲した形状を有している。各パズルピース２１０の基本形状は、例えば、各コーナＲが短辺の長さの３０％以上である矩形形状であってもよい。各パズルピース２１０の基本形状は、長丸形状、楕円形状または円形状であってもよい。図６の例では、各パズルピース２１０の基本形状は上下に長い長丸形状である。
【００３５】
係合部２２０は各パズルピース２１０の上下方向および左右方向の４方の縁に設けられる。上方の側縁２１４ａおよび左方の側縁２１４ｂには凸型係合部２２０ａ、２２０ｂが設けられている。下方の側縁２１４ｃおよび右方の側縁２１４ｄには凹型係合部２２０ｃ、２２０ｄが設けられている。パズルピース２１０におけるＸ軸方向の位置において、凸型係合部２２０ａおよび凹型係合部２２０ｃは実質的に同じ位置に設けられる。図６の例では、凸型係合部２２０ａおよび凹型係合部２２０ｃは、パズルピース２１０の基本形状のＸ軸方向略中央に設けられている。
【００３６】
パズルピース２１０におけるＹ軸方向の位置において、凸型係合部２２０ｂおよび凹型係合部２２０ｄは実質的に同じ位置に設けられる。図６の例では、凸型係合部２２０ｂおよび凹型係合部２２０ｄは、パズルピース２１０の基本形状のＹ軸方向略中央に設けられている。なお、本明細書において「実質的に同じ位置」というときは、目視において同じ位置と認識できる程度の同一性を有する形状をいい、製造誤差や計測の誤差による相違は考慮しないものとする。
【００３７】
図７は、ジグソーパズル２００の一部を拡大して示す拡大平面図である。図７に示すように、各パズルピース２１０は上下方向（Ｙ軸方向）及び左右方向（Ｘ軸方向）に配列され、各パズルピース２１０の係合部２２０同士は上下方向及び左右方向に連結される。パズルピース２１０の凸型係合部２２０ａは上側のパズルピース２１０の凹型係合部２２０ｃに連結される。パズルピース２１０の凸型係合部２２０ｂは左側のパズルピース２１０の凹型係合部２２０ｄに連結される。パズルピース２１０の凹型係合部２２０ｃは下側のパズルピース２１０の凸型係合部２２０ａに連結される。パズルピース２１０の凹型係合部２２０ｄは右側のパズルピース２１０の凸型係合部２２０ｂに連結される。
【００３８】
上述のように連結された状態では、各パズルピース２１０の角部が丸みを帯びているため、各パズルピース２１０の間に隙間２２２が形成される。隙間２２２は、例えば手指の先端がパズルピース２１０の側縁に掛かる程度の大きさを有する。図７の例では、隙間２２２は略十字形状または四角星形状を有する。隙間２２２は、平面視において２回または４回の回転対称形状を有する。
【００３９】
パズルピース２０８は、同じ文字が表示された２以上のパズルピースのセット（以下、ピースセット２１２という）を含んでいる。図８は、ピースセット２１２の構成の一例を示す平面図である。図８の例では、各ピースセット２１２は、それぞれ同じ文字が表示された２つのピースからなるピースセット２１２ａ〜２１２ｚを含んでいる。ピースセット２１２の各ピースには文字が例えば印刷により表示されている。各ピースの文字は、無地の表面上に表示されてもよく、上述した模様の上に表示されてもよい。
【００４０】
図８の例では、ピースセット２１２の各ピースに表示された文字はそれぞれ実質的に１文字からなる。以下、各ピースに表示された文字の上下方向を単に文字の上下方向と、各ピースに表示された文字の左右方向を単に文字の左右方向ということがある。
【００４１】
ピースセット２１２のピースは、上述の形状を有することにより、文字の左右方向（Ｘ軸方向）に任意の順番で接続することができる。図９は、ピースセット２１２のピースを左右方向に連結した状態の一例を示す平面図である。この図では、左から順にピース２１２ａ（１）、２１２ｐ１、２１２ｐ２、２１２ｌ１および２１２ｅ１を並べて連結することにより、左右に並んだ単語「ＡＰＰＬＥ」を表現している。
【００４２】
ピースセット２１２のピースは、上述の形状を有することにより、文字の上下方向（Ｙ軸方向）に任意の順番で接続することができる。図１０は、ピースセット２１２のピースを上下方向に連結した状態の一例を示す平面図である。この図では、上から順にピース２１２ａ（１）、２１２ｐ１、２１２ｐ２、２１２ｌ１および２１２ｅ１を並べて連結することにより、上下に並んだ単語「ＡＰＰＬＥ」を表現している。
【００４３】
このように、ジグソーパズル２００は、ピースセット２１２のピースを連結して任意の英単語を表現することができる。ピースセット２１２は、１文字について複数のピースを含むため、１文字について１個のピースのみを含む場合と比較して文字の組合せのバリエーションを増やすことができる。
【００４４】
次に、このように構成された本発明の第２実施形態に係るジグソーパズル２００の作用・効果を説明する。
【００４５】
第２実施形態に係るジグソーパズル２００は、組み立ておよび分解が可能なジグソーパズルであって、実質的に同じ形状を有する複数のパズルピースを含み、複数のパズルピースそれぞれは、互いに接続可能な係合部を有し、当該係合部がない場合の平面視の輪郭において角が丸められた形状を有し、組み立てられた状態において、複数のパズルピースそれぞれの間に隙間が形成されている。この構成によれば、その隙間に指が掛けやすくなるから、分解・組立が容易になり幼児の使用も可能になる。隙間を設けることにより、その隙間から裏側の台紙の色や模様が出て、従来のジグソーパズルとは違った印象のデザインを実現することができる。丸みを帯びた形状にすることで鋭いエッジがほとんどなくなり、幼児が遊んでも怪我などの心配を軽減することができる。
【００４６】
第２実施形態に係るジグソーパズル２００では、平面視において、隙間は２回または４回の回転対称形状を有している。この構成によれば、隙間の形状が非対称な場合と比べてジグソーパズル２００の意匠性を向上させることができる。特に、隙間が対象形状であることにより、従来のジグソーパズルとは異なる印象のデザインを実現することができる。
【００４７】
第２実施形態に係るジグソーパズル２００では、複数のパズルピースそれぞれは、平面視の輪郭が長丸形状、楕円形状または円形状を有している。この構成によれば、矩形ピースとは異なる印象のデザインを実現することができる。
【００４８】
第２実施形態に係るジグソーパズル２００では、複数のパズルピースは、同じ文字が表示された２以上のパズルピースを含んでいる。この構成によれば、同じ文字を２つ含む単語を表現することができ、１文字当り１つのパズルピースを含むジグソーパズルに比べて、表示可能な文字列のバリエーションを増やすことができる。
【００４９】
以上、本発明の幾つかの実施形態をもとに説明した。これらの各実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００５０】
以下、変形例について説明する。変形例の図面および説明では、各実施形態と同一または同等の構成要素、部材には、同一の符号を付する。各実施形態と重複する説明を適宜省略し、各実施形態と相違する構成について重点的に説明する。
【００５１】
（第１変形例）
第１〜第２実施形態のジグソーパズル１００、２００の説明では、パズルピースを組み立てた状態において所定の意匠の絵柄または模様が表面に表示される例について説明したが、これに限定されない。本発明に係るジグソーパズルは、リバーシブルに使用可能に構成されてもよい。つまり、パズルピースを裏返して裏面も表面と同様に組み立てて使用できるようにしてもよい。
【００５２】
特に、複数のパズルピースは、第１面および当該第１面と反対側の第２面を有し、複数のパズルピースを、第１面を表側として組み立てた状態で第１デザインの絵柄または模様が表面に表示され、複数のパズルピースを、第２面を表側として組み立てたときに第２デザインの絵柄または模様が表面に表示されてもよい。この場合に、第２デザインの絵柄または模様は、第１デザインの絵柄または模様と同一であってもよく異なっていてもよい。この構成によれば、裏と表のどちらも使えるリバーシブルなジグソーパズルを提供することができる。第２変形例のジグソーパズルは、１つのパズルでユーザに複数の楽しみを提供することができる。
【００５３】
（第２変形例）
第１〜第２実施形態のジグソーパズル１００および２００の説明では、パズルピースが平面上に組み立てられる例について説明したが、これに限定されない。本発明に係るジグソーパズルは、曲面上に組み立てられてもよい。
【００５４】
これらの各変形例は、第１実施形態のジグソーパズル１００と同様の作用効果を奏する。
【符号の説明】
【００５５】
１０・・パズルピース、  １２・・ピースセット 、  １４ａ、１４ｂ、１４ｃ、１４ｄ・・側縁、  １４ｅ、１４ｆ、１４ｇ、１４ｈ・・頂点、  ２０・・係合部、  １００・・ジグソーパズル、  ２００・・ジグソーパズル、  ２０８・・パズルピース、  ２１０・・パズルピース、  ２１２・・ピースセット、  ２１４ａ、２１４ｂ、２１４ｃ、２１４ｄ・・側縁、  ２２０・・係合部、  ２２２・・隙間。
【図１】
2019041878.tif 000003
【図２】
2019041878.tif 000004
【図３】
2019041878.tif 000005
【図４】
2019041878.tif 000006
【図５】
2019041878.tif 000007
【図６】
2019041878.tif 000008
【図７】
2019041878.tif 000009
【図８】
2019041878.tif 000010
【図９】
2019041878.tif 000011
【図１０】
2019041878.tif 000012